(57)【要約】【課題】本発明は、光記録媒体への記録方法、該方法に適した光記録媒体及び該方法又は該光記録媒体を用いた光記録媒体への記録装置に関する。【解決手段】本発明によると、記録処理は、例えば固定装置での光記録媒体の事前記録（１１）と、例えば携帯装置での低いパワーでの記録法による光記録媒体の記録（１３）との２つのタスクに分離される。【選択図】図２
2007172823.tif 000002
【特許請求の範囲】
【請求項１】
光記録媒体を事前記録（１１）するステップと、
光記録媒体を低いパワーでの記録法を用いて記録するステップと、
を備えた光記録媒体の記録方法。
【請求項２】
光記録媒体の事前記録（１１）は、光記録媒体のトラックを連続的に追尾している間に、一定パワーで、或いは、マーク記録パルス列の内部にある複数パルス部の繰り返しで行われる、請求項１に記載の方法。
【請求項３】
事前記録された光記録媒体を、低いパワーでの記録法を用いて記録する、光記録媒体の記録方法。
【請求項４】
低いパワーでの記録法は、消去パワー（ＰＥ）又は記録パワー（ＰＷ）を本質的に零に設定する請求項１から３のいずれか１項に記載の方法。
【請求項５】
低いパワーでの記録法は、振幅を増加させるステップと、標準パルス列の、先頭、後続及び／又は中間パルスの間隔を増加させるステップのいずれか、或いは、両方を含む、
請求項４に記載の方法。
【請求項６】
パルス間隔の増加は、少なくとも、
パルスの立ち上がりエッジを前にシフトさせるステップと、
パルスの立下りエッジを後ろにシフトさせるステップと、
パルスの立ち上がり及び／又は立下りエッジで、振幅を減少させたパルスを加えるステップと、
を含む請求項５に記載の方法。
【請求項７】
事前記録（１１）は、固定装置又は電源に接続している携帯装置において実行される請求項１から６のいずれか１項に記載の方法。
【請求項８】
記録（１３）は、携帯装置において実行される請求項１から７のいずれか１項に記載の方法。
【請求項９】
光記録媒体のトラックを連続的に追尾している間に、一定パワーで、或いは、マーク記録パルス列の内部にある複数パルス部の繰り返しで、光記録媒体を事前記録（１１）することで、記録用の光記録媒体を準備する方法。
【請求項１０】
請求項９に記載の方法で記録のための準備が行われたことを特徴とする光記録媒体。
【請求項１１】
光記録媒体が事前記録状態であるか否かを判定（２１、２２）し、
光記録媒体が事前記録状態である場合、低いパワーでの記録法を用いて記録（２３）し、光記録媒体が事前記録状態でない場合、標準記録法（２４）を用いて記録（２４）する光記録媒体の記録方法。
【請求項１２】
光記録媒体が事前記録状態であるか否かを判定する記録状態検出器と、
低いパワーでの記録法による記録のための、低いパワーでの記録法パルス生成器と、
標準記録法による記録のための、標準記録法パルス生成器と、
を備えている光記録媒体の記録装置。
【請求項１３】
光記録媒体が事前記録状態であるか否かを判定する記録状態検出器と、
光記録媒体の事前記録のための、事前記録パルス生成器と、
を備えている記録用の光記録媒体を準備するための装置。
【発明の詳細な説明】
【技術分野】
【０００１】
本発明は、光記録媒体への記録方法、該方法に適した光記録媒体及び該方法又は該光記録媒体を用いた光記録媒体への記録装置に関する。
【背景技術】
【０００２】
特に、光記録媒体の携帯装置において、消費電力は重要な問題である。これは、記録装置の場合には更に重要になる。光記録媒体への記録装置において、電力を消費する主な部品の１つは、レーザドライバである。その消費電力は、駆動されるレーザダイオードの光出力パワーに対して線形である。レーザ閾値より大きい領域にて、関係は比例となる。
【発明の開示】
【発明が解決しようとする課題】
【０００３】
したがって、本発明は、消費電力を削減した光記録媒体への記録方法を提供することを目的とする。
【課題を解決するための手段】
【０００４】
本発明によると、この目的は、光記録媒体の事前記録ステップと、光記録媒体を低いパワーでの記録法にて記録するステップとを備えている、光記録媒体の記録法により達成される。
【０００５】
本発明は、記録処理を２つのタスク、固定装置での光記録媒体の事前記録と携帯装置での低いパワーでの記録法による記録と、に分離することを提案している。事前処理された記録媒体にのみ使用可能である、特別な低いパワーでの記録法は、通常の上書き法より、低い平均レーザ光パワーで動作する。事前処理された光記録媒体の２つの典型的なタイプは、記録法は必然的にマーク記録パルス列からなる、つまり、消去パワーが零に設定される事前消去媒体と、記録法は必然的にスペースを生成する消去パルス列からなる、つまり、記録パワーが零に設定される事前アモルファス化媒体である。消去パワーと記録パワーの定義は、例えば、ＥＣＭＡ−３３８中に、８０ｍｍ（片側１．４６Ｇｂｙｔｅ）及び１２０ｍｍ（片側４．７Ｇｂｙｔｅ）上書き可能なＤＶＤ（ＤＶＤ−ＲＷ）に記載されている。本発明は、単層及び多層光記録媒体に適用可能である。
【０００６】
光記録媒体の事前記録は、好ましくは、光記録媒体のトラックを連続的に追尾する間、一定パワーで、又は、マーク記録パルス列の内部マルチパルス部分の繰り返しにより実行される。前者の解決法は事前消去媒体を、後者の解決法は事前アモルファス化媒体を生じさせる。
【０００７】
光記録媒体の事前記録は、製造工程後に工場にて、或いは、光記録媒体のための駆動装置にて行われる。電源に接続している携帯装置を利用することも可能である。例えば、バッテリを充電している間、装置は、高い電力と長い処理時間を要する光記録媒体の事前記録を好ましくは開始し、及び／又は、ディフラグや消去や他の処理を開始する。その様な操作は、移動時には適切に行えない。
【０００８】
低いパワーでの記録法と、標準記録法が可能な装置によって実行される光記録媒体の記録法は、光記録媒体が事前記録状態であるか否かを判定するステップと、光記録媒体が事前記録状態である場合、低いパワーでの記録法による記録を実行するステップと、光記録媒体が事前記録状態でない場合、標準記録法による記録を実行するステップとを備えている。上述した方法を実行可能とするために、光記録媒体の記録装置は、光記録媒体が事前記録であるか否かを判定する記録媒体状態検出器と、低いパワーでの記録法による記録のためのパルス生成器と、標準記録法による記録のためのパルス生成器とを備えている。まず、光記録媒体が事前記録されているか否かが検査される。これは、例えば、光記録媒体の記録層を分析することで、或いは、媒体の情報領域にある“状態ビット”を検査することにより行われる。光記録媒体が既に事前記録されている場合、記録は、特別な、低いパワーでの記録法により行われる。さもなければ、標準記録法が使用される。
【０００９】
同様に、記録のために光記録媒体を準備する装置は、光記録媒体が事前記録状態であるか否かを判定する記録状態検出器と、光記録媒体の事前記録のための低いパワー法のためのパルス生成器とを備えている。記録状態検出器は、光記録媒体が事前に記録されているか否かを判定する。そうでなければ、事前記録法のための事前記録が開始される。
【発明を実施するための最良の形態】
【００１０】
本発明のより良い理解のために、以下で図面を用いて詳細に説明する。本発明は、本実施形態に限定されるものではなく、以下に述べる特徴は、本発明の範囲を遺脱しない範囲での結合及び／又は修正がなされ得るものである。
【００１１】
図１は、典型的な相変化光記録媒体への直接的な上書きのための、典型的な記録パルス列１を示す図である。下には、マーク及びスペースの列２も示している。この図において、横軸は時間を表し、縦軸は記録レーザパワーを表している。図から、マークは高い記録パワーＰＷのマルチパルス列により書き込まれ、スペースは低い消去パワーＰＥにより書き込まれる（消去される）ことが分かる。相変化記録材料は、マーク時にアモルファス状態で、スペース時では結晶状態である。いわゆる典型的な、光記録媒体の層構造のハイトゥーロー（ｈｉｇｈ−ｔｏ−ｌｏｗ）デザインにおいて、マークは光ピックアップ部からの入射レーザ光の反射が低く、スペースは高くなる。ロートウハイ（ｌｏｗ−ｔｏ−ｈｉｇｈ）デザインにおいては、例えば、高密度ＤＶＤのための文献である、「Ｏｈｍａｃｈｉ、他、“Ｍｄｅｄｉａ  Ｔｅｃｈｎｏｌｏｇｉｅｓ  ｏｆ  ２０ＧＢ  Ｓｉｎｇｌｅ−Ｌａｙｅｒ  Ｒｅｗｒｉｔｅｂａｌｅ  Ｐｈａｓｅ−Ｃｈａｎｇｅ  Ｄｉｓｃ  ｆｏｒ  ＨＤ  ＤＶＤ  Ｓｙｓｔｅｍ”、Ｊａｐ．Ｊ．Ａｐｐｌ．Ｐｈｙｓ．Ｖｏｌ．４３、２００４、ｐｐ．４９７８−４９８２」で提案されている様に、マークは高く、スペースは低くなる。
【００１２】
図２は、本発明による、光記録媒体への記録方法を示す図である。光記録媒体が固定装置に挿入（１０）されたとき、事前記録操作（１１）が開始される。後に、事前記録された光記録媒体が携帯装置に挿入（１２）されたときに、特別な低パワー記録法により、記録が行われる（１３）。完全な結晶（消去）又はアモルファス状態のトラックを達成するために、光記録媒体は事前記録（１１）される。光記録媒体の完全な事前消去は、例えば、光記録媒体の全トラックに対して、図１の１つに似た一定パワーＰｅを適用することにより達成される。完全な、事前アモルファス化は、例えば、図１の、マークの部分にある記録パルス列１を、図３のパルス列３に示すように連続的に、繰り返すことにより達成される。前述の通り、事前記録は光記録媒体の製造後に、固定装置において直接実行することができるが、電源に接続している携帯装置においても実行することができる。
【００１３】
携帯装置においては、低い平均パワーでの記録法が、事前記録された光記録媒体に用いられる。一般的な記録法は、図１に示されている。しかしながら、ＰＥ又はＰＷが事前消去又は事前アモルファス化された光記録媒体に対して、それぞれ零に設定される点で異なる。この簡易な手法で、光記録媒体の多くの利用のために十分なデータパターンを生じさせる。データパターンは、光記録媒体の積層の熱伝導率と熱容量が零ではないが、記録処理と消去処理が温度によるという事実のため、データパターンは最適でない。したがって、従来の相変化媒体の場合、消去フェーズで層に導入される熱が、隣接するマークの記録に影響を与える。その逆も同様である。あらかじめ処理された媒体のための、消去又は記録パワーをスイッチオフする記録時における、熱の漏洩効果を補償するために、記録法が修正される。図４及び５は、それぞれ、事前消去（ＰＥは零に設定）と、事前アモルファス化（ＰＷは零に設定）された媒体のための、典型的な記録方法を示す図である。適合記録パルス列４に加え、標準記録パルス列１を比較のため点線で示している。太線で示されている適合記録パルス列４の領域は、パワーとパルスエッジの時間を、良い記録結果を達成するために変化させている領域を示している。
【００１４】
商業的に利用可能な、ソニー製２３ＧＢ書換え可能なＢＤ-ＲＥディスクによる試験は、以下の結果を示している。標準的な記録法による、記録パワー６．５ｍＷ、消去パワー３．２５ｍｗを使用した場合、結果として生じるジッタは６％未満（等価限界）であり、きれいで対称なアイパターンとなる。更に、標準的な記録法のパラメータは、総てのマーク（２Ｔから９Ｔ）に対して、ｄＴｔｏｐ＝３及びＴｔｏｐ＝５、２Ｔと３Ｔに対してｄＴｅ＝０、５Ｔから９Ｔに対してｄＴｅ＝１である。これらのパラメータの定義は、例えば、ＵＳ２００５/００５８０４７、に記載されている。ディスクのアモルファス化は、６．５ｍｗのピークパワーによる、８／１６Ｔの連続的な記録パルスの後に、８／１６Ｔのレーザオフを行うことにより実行された。得られたアモルファス領域は、きれいであり、いかなるノイズも現れなかった。最初の試みにおいて、標準的な記録の間に使用された手法（２Ｔから９ＴでｄＴｔｏｐ＝３及びＴｔｏｐ＝５、２Ｔと３ＴでｄＴｅ＝０、５Ｔから９ＴでｄＴｅ＝１）は、記録パルスを単にオフとすることにより適用される。消去パワーは、３．２５ｍＷに設定された。このパワーでは、結晶状態のマークは完全に形成されず、２２％のジッタを持ち、非対称で不鮮明なアイパターンとなる。この現象は、結晶状態のマークをより良く形成する原因となる消去パワーの増加で解決できる。最適な状態は、４．２ｍＷで観察され、８．４％のジッタであった。記録法を少し修正することにより、ジッタは更に改善された。同じ４．２ｍＷの消去パワーを用い、ｄＴｔｏｐを、２Ｔで２、３Ｔで３、４Ｔで４、５Ｔから９Ｔで４に設定した。更に、各シンボル長に対してｄＴｅを０に設定した。得られたジッタは７．６％で、きれいで対称なアイパターンであった。特に、上記設定は２Ｔの消去パルスがＴの１／１６（約１ｎｓ）長く、３Ｔの消去パルスは同じままで、４Ｔ及びより長いシンボルの消去パルスはＴの２／１６（約２ｎｓ）短い。
【００１５】
図６は携帯記録装置での使用が好ましい、光記録媒体の記録法を示す図である。光記録媒体が携帯装置に挿入（２０）されたとき、まず、光記録媒体の記録状態が判定される（２１）。記録状態の確認（２２）が光記録媒体が既に事前記録されていることを示す場合、記録は、特別に低いパワーでの記録法により実行（２３）される。もし、光記録媒体が事前記録でない場合、標準的な記録法が使用される（２４）。
【図面の簡単な説明】
【００１６】
【図１】相変化記録媒体への直接的な上書きのための典型的な記録パルス列を示す図である。
【図２】本発明の２つの装置を用いる光記録媒体の記録方法を示す図である。
【図３】光記録媒体の事前アモルファス化のための記録パルス列を示す図である。
【図４】事前消去された光記録媒体のために使用される記録パルス列を示す図である。
【図５】事前アモルファス化された光記録媒体のために使用される記録パルス列を示す図である。
【図６】記録装置で実行される光記録媒体の記録法を示す図である。
【符号の説明】
【００１７】
１  記録パルス列
２  マーク及びスペースの列
３  パルス列
４  適合記録パルス列
【図１】
2007172823.tif 000003
【図２】
2007172823.tif 000004
【図３】
2007172823.tif 000005
【図４】
2007172823.tif 000006
【図５】
2007172823.tif 000007
【図６】
2007172823.tif 000008
【外国語明細書】
2007172823.tif 000009
2007172823.tif 000010
2007172823.tif 000011
2007172823.tif 000012
2007172823.tif 000013
2007172823.tif 000014
2007172823.tif 000015
2007172823.tif 000016
2007172823.tif 000017
2007172823.tif 000018
2007172823.tif 000019
2007172823.tif 000020
2007172823.tif 000021
2007172823.tif 000022